(57)【特許請求の範囲】
【請求項１】
音声信号を出力する音声信号出力手段、および当該音声信号出力手段から出力された音声信号を増幅する音声信号増幅手段が設けられた基板と、
前記音声信号増幅手段によって増幅された音声信号に基づいて音声を出力する音声出力装置と、
を備え、
前記基板上の前記音声信号出力手段と前記音声信号増幅手段とを繋ぐ信号線には、外部機器が接続可能な接続部が設けられていることを特徴とする遊技機。
【請求項２】
前記接続部は、前記基板に形成されたスルーホールまたはビアで構成されていることを特徴とする請求項１に記載の遊技機。
【発明の詳細な説明】
【技術分野】
【０００１】
本発明は、音声信号を出力する音声信号出力手段および当該音声信号出力手段から出力された音声信号を増幅する音声信号増幅手段を有する基板を備えた遊技機に関する。
【背景技術】
【０００２】
このような音声信号出力手段および音声信号増幅手段を備える遊技機が公知である（例えば下記特許文献１参照）。このような手段を含む音声制御回路としては、図４に示すような構成が例示できる。音声制御回路１０１が設けられた基板１００に搭載されたＣＰＵは、音声信号出力手段１０２から音声信号を出力させる。この出力された音声信号は、音声信号増幅手段１０３によって増幅された後、基板外に設けられた音声出力装置１０４（スピーカ）から出力される。
【先行技術文献】
【特許文献】
【０００３】
【特許文献１】特開２００６−２５４９７５号公報
【発明の概要】
【発明が解決しようとする課題】
【０００４】
この種の遊技機において、設計・開発段階において音声を確認する場合、図４に示すように、音声信号増幅手段１０３と音声出力装置１０４との間で、ヘッドホンやイヤホンといった、上記音声出力装置１０４とは別の確認用音声出力装置１０６を接続して音声を確認したりする。
【０００５】
しかし、ヘッドホンやイヤホンで音声を確認する場合、音声信号増幅手段１０３によって増幅された音声信号は出力レベルが高すぎるため、一旦変換装置１０５によってレベルを落とした上でその信号をヘッドホンやイヤホンに送る必要がある。このような音声確認手法は、変換装置１０５によって低下させなければならないレベルが大きいため、レベルの調整が煩わしいし、変換装置の発熱や音質の低下を招くこともある。
【０００６】
本発明の目的は、設計・開発段階における音声確認を容易にする遊技機を提供することである。
【課題を解決するための手段】
【０００７】
上記課題を解決するためになされた請求項１の発明にかかる遊技機は、音声信号を出力する音声信号出力手段、および当該音声信号出力手段から出力された音声信号を増幅する音声信号増幅手段が設けられた基板と、前記音声信号増幅手段によって増幅された音声信号に基づいて音声を出力する音声出力装置と、を備え、前記基板上の前記音声信号出力手段と前記音声信号増幅手段とを繋ぐ信号線には、外部機器が接続可能な接続部が設けられていることを特徴とする。
【０００８】
請求項２に記載の発明は、請求項１に記載の遊技機において、前記接続部は、前記基板に形成されたスルーホールまたはビアで構成されていることを特徴とする。
【発明の効果】
【０００９】
請求項１に記載の発明にかかる遊技機では、音声信号出力手段と音声信号増幅手段との間に設けられた接続部を利用すれば、増幅される前の音声信号を取り出すことが可能となる。つまり、音声確認用の音声信号として、増幅される前の低レベルの信号を用いることができるため、従来よりも音声確認時のレベルの調整を容易にすることが可能である。また、変換装置の発熱や音質の低下を抑制することも可能である。
【００１０】
請求項２に記載の発明のように、接続部をスルーホールやビアで構成すれば、基板の大きさや形状を変更したり、基板を収納するケースの形状を変更したりする必要がない。つまり、基板に接続部となるスルーホールやビアが形成されている以外は、製品としての遊技機は従来と変わらない構成とすることが可能である。
【図面の簡単な説明】
【００１１】
【図１】本発明の一実施形態にかかる遊技機の正面図である。
【図２】本発明の一実施形態にかかる遊技機の制御ブロック図である。
【図３】サブ制御基板における音声制御回路が構築された部分およびそれに接続される装置を模式的に示した図である。
【図４】従来の遊技機における音声制御回路が構築された部分およびそれに接続される装置を模式的に示した図である。
【発明を実施するための形態】
【００１２】
以下、本発明にかかる実施形態について図面を参照して詳細に説明する。まず、図１を参照して遊技機１の全体構成について簡単に説明する。遊技機１は、額縁形状の機枠９０を有し、この機枠９０には前面枠９１が回動自在に支持されている。前面枠９１には、前側から遊技盤９２を視認可能とする透明な板が設けられている。また、前面枠９１の左上および右上には音声出力装置であるスピーカ３３が設けられている。
【００１３】
遊技盤９２は、ほぼ正方形の合板により成形されており、前面枠９１に着脱可能に取り付けられている。この遊技盤９２には、発射装置９４（ハンドル）の操作によって発射された遊技球を遊技領域９２２に案内する金属製の薄板からなる帯状のガイドレール９２３が略円弧形状となるように設けられている。
【００１４】
遊技領域９２２には、第一始動入賞口９２４、第二始動入賞口９２５、大入賞口９２６、アウト口９２７などが設けられている。表示装置９３は、大当たりの当否を報知する識別図柄等が表示される。かかる表示装置９３の表示画面は、遊技盤９２に形成された開口９２１を通じて視認可能である。
【００１５】
また、遊技領域９２２には、流下する遊技球が衝突することにより遊技球の流下態様に変化を与える障害物としての遊技釘（図示せず）が複数設けられている。遊技領域９２２を流下する遊技球は、遊技釘に衝突したときの条件に応じて様々な態様に変化する。
【００１６】
このような遊技機１では、発射装置９４（ハンドル）を操作することにより遊技領域９２２に向けて遊技球を発射する。遊技領域９２２を流下する遊技球が、始動入賞口９２４、９２５や大入賞口９２６等の入賞口に入賞すると、所定の数の賞球が払出装置により払い出される。その他の構成等は、公知の遊技機と同様のものが適用できるため、本発明に関わるもの以外の説明は省略する。
【００１７】
図２に示すように、本実施形態にかかる遊技機１は、主制御基板２０およびサブ制御基板３０（本発明における基板に相当する）を備える。主制御基板２０は、上述した始動入賞口９２４、９２５や大入賞口９２６等において遊技球が入賞したことを検出するセンサ類２２と中継回路２１を介して接続されている。また、払出制御回路２３を介して貸球払出装置２４や賞球払出装置２５等の払出装置や、払出制御回路２３および発射制御回路２６を介して発射装置に接続されている。主制御基板２０は、始動入賞口９２４、９２５に遊技球が入賞したことに基づく大当たりの抽選や、各種入賞口に遊技球が入賞したことに基づく遊技球の払い出し等を制御する。
【００１８】
サブ制御基板３０は、主に、主制御基板２０からの信号（大当たりフラグの成否や、所定の入賞領域に遊技球が入賞したことを知らせる信号等）を受けて、実行する演出を決定、制御する。演出は、表示装置９３に画像を表示したり、各種照明３２（ランプ）を点灯、点滅させたり、スピーカ３３から音声を出力したりする。すなわち、サブ制御基板３０は、表示装置９３（表示制御基板）、ランプ制御回路３１、スピーカ３３等に接続されている。
【００１９】
これらの機能のうち、スピーカ３３から出力される音声を制御するための回路である、音声制御回路４０がサブ制御基板３０に形成されている。音声制御回路４０はサブ制御基板３０に搭載されたＣＰＵ等によって駆動する回路である。
【００２０】
音声制御回路４０の詳細は図３に示す通りである。主制御基板２０から送られる各種信号を受けたサブ制御基板３０（ＣＰＵ）は、その信号に基づき、実行する演出を決定（抽選）する。その演出が音声出力を伴う場合には、サブ制御基板３０は音声信号出力手段４１（音声用回路；ＤＳＰ（デジタルシグナルプロセッサ））から実行することが決定された演出で使用する音声信号を出力させる。出力された音声信号は、音声信号増幅手段４２（アンプ回路）によって増幅される。この増幅された信号が基板外に設けられた上記スピーカ３３に電線を通じて送られ、当該スピーカ３３から演出の音声として出力される。
【００２１】
本実施形態におけるサブ制御基板３０には、音声制御回路４０における、音声信号出力手段４１と音声信号増幅手段４２とを繋ぐ信号線４３に接続部４４が設けられている。接続部４４は、音声信号出力手段４１から出力される音声信号を、音声信号増幅手段４２によって増幅される前に取り出すための基板に形成されたポートである。
【００２２】
この接続部４４を利用した、遊技機１の設計・開発段階における音声確認の一例は以下の通りである。接続部４４は、音声信号出力手段４１と音声信号増幅手段４２とを繋ぐ信号線４３と電気的に接続された、スルーホールまたはビア（ビアホール）から構成される。具体的には、基板に形成されたホール（孔）の内側に、当該信号線４３と電気的に接続される導電部である。
【００２３】
この接続部４４に対し電線の一端を直接、またはコネクタなどを介して間接的に接続する。電線の他端に信号レベルを調整することが可能な変換装置５０（トランスを含む装置が例示できる。本発明における外部機器に相当する）が接続される。この変換装置５０によって信号レベルを調節した上で、当該信号をヘッドホンやイヤホン、外付スピーカといった、遊技機１に搭載されたスピーカ３３とは別の確認用音声出力装置５１（遊技機１に搭載されたスピーカ３３よりも出力レベルが小さい装置）から出力し、音声の確認を行う。なお、音声出力装置５１を利用せず、音声出力が正常になされているかどうかを視覚的に確認（モニタリング）することができる確認装置（本発明における外部機器の別例に相当する）を用いてもよい。
【００２４】
音声確認終了後には、電線やコネクタなどを接続部４４（サブ制御基板３０）から取り外す。これにより、接続部４４であるスルーホールやビアなどが残った状態にある点以外の構成については、従来のサブ制御基板と変わらないサブ制御基板３０が搭載された遊技機１として出荷される。
【００２５】
このように、本実施形態にかかる遊技機１では、サブ制御基板３０（音声制御回路４０）に設けられた接続部４４を利用して、音声信号出力手段４１から出力された音声信号を、音声信号増幅手段４２によって増幅される前の段階で取り出すことが可能である。そのため、従来のように、増幅された高レベルの信号を、ヘッドホンやイヤホンなどの音声出力装置５１用に大きく低下させる必要がなくなるから、従来よりも音声確認時のレベルの調整を容易にすることが可能である。また、変換装置５０の発熱や音質の低下を抑制することも可能である。
【００２６】
また、接続部４４はスルーホールやビアといった基板に形成される「孔」にすぎないため、音声確認終了後、接続部４４から電線やコネクタを取り外してしまえば、当該接続部４４が残っていること以外は従来の基板と変わりがない。したがって、基板を収納するケースの形状を変更したりする必要がない。また、接続部４４としてあらかじめ基板にコネクタが実装された構成とすることが考えられるが、このような何も嵌合していないコネクタを基板に残したまま製品として出荷した場合、当該コネクタが不正行為に利用されるおそれがあるが、接続部４４がスルーホールやビアであるためそのような問題も生じない。
【００２７】
以上、本発明の実施の形態について詳細に説明したが、本発明は上記実施の形態に何ら限定されるものではなく、本発明の要旨を逸脱しない範囲で種々の改変が可能である。
【符号の説明】
【００２８】
１  遊技機
３０  サブ制御基板
３３  スピーカ
４０  音声制御回路
４１  音声信号出力手段
４２  音声信号増幅手段
４３  信号線
４４  接続部
５０  変換装置 
【図１】
0005643955.tif 000002
【図２】
0005643955.tif 000003
【図３】
0005643955.tif 000004
【図４】
0005643955.tif 000005